(57)【要約】本発明の種々の側面は、製品の真正性を検証するためのシステムおよび方法を提供する。本発明の別の側面は、開封明示パッケージと、開封明示パッケージ内に含まれる、製品の真正性を検証するために使用可能な一意の識別子とを含むシステムを提供する。一意の識別子は、不正使用の証拠を示すことなしに開封明示パッケージの外側から検出されることができない。本発明の別の側面は、開封明示パッケージと、開封明示パッケージに連結されている隠された一意の識別子とを含むシステムを提供する。本発明の別の側面は、一意の識別子を提供する方法を提供する。方法は、開封明示パッケージを提供することと、開封明示パッケージ内に一意の識別子を設置することとを含み、一意の識別子は、開封明示パッケージの外側から検出されることができない。
2013528536.tif 000002
【特許請求の範囲】
【請求項１】
開封明示パッケージと、
製品の真正性を検証するために使用可能な一意の識別子であって、前記一意の識別子は、前記開封明示パッケージ内に含まれている、一意の識別子と
を備え、
前記一意の識別子は、不正使用の証拠を示すことなしに前記開封明示パッケージの外側から検出されることができない、システム。
【請求項２】
前記開封明示パッケージは、ブリスタ包装である、請求項１に記載のシステム。
【請求項３】
前記ブリスタ包装は、１つ以上の空洞を画定するブリスタ包装材料と蓋材料とを含む、請求項１に記載のシステム。
【請求項４】
前記一意の識別子は、前記ブリスタ包装材料上に印刷されている、請求項３に記載のシステム。
【請求項５】
前記一意の識別子は、前記蓋材料上に印刷されている、請求項３に記載のシステム。
【請求項６】
前記一意の識別子を含む前記開封明示パッケージの領域は、不透明である、請求項１に記載のシステム。
【請求項７】
前記一意の材料は、前記開封明示パッケージ内に受け取られる基材上に印刷されている、請求項１に記載のシステム。
【請求項８】
前記基材は、折り畳まれている、請求項１に記載のシステム。
【請求項９】
前記基材は、巻かれている、請求項１に記載のシステム。
【請求項１０】
さらなる一意の識別子をさらに備えている、請求項１に記載のシステム。
【請求項１１】
前記さらなる一意の識別子は、前記一意の識別子に数学的に関連付けられている、請求項１に記載のシステム。
【請求項１２】
前記製品は、医薬品である、請求項１に記載のシステム。
【請求項１３】
前記製品は、消費財、電子製品、アルコール飲料、電子媒体、高級品、化粧品、およびソフトウェアから成る群から選択される、請求項１に記載のシステム。
【請求項１４】
開封明示パッケージと、
前記開封明示パッケージに連結されている隠された一意の識別子と
を備えている、システム。
【請求項１５】
前記隠された一意の識別子は、除去可能不透明コーティングによって隠されている、請求項１４に記載のシステム。
【請求項１６】
前記隠された一意の識別子は、基材によって隠されている、請求項１５に記載のシステム。
【請求項１７】
前記基材は、穿孔されている、請求項１６に記載のシステム。
【請求項１８】
前記隠された一意の識別子は、環状条件への暴露、物質への暴露、および，規定波長のレンズの使用から成る群から選択される１つ以上によって改変される、請求項１４に記載のシステム。
【請求項１９】
前記環境条件は、温度、光、エネルギー、応力、歪み、および磁力から成る群から選択される、請求項１８に記載のシステム。
【請求項２０】
前記複数の別個の非表示の一意の識別子のうちの１つ以上は、規定時間の間の前記環境条件への暴露によって改変されることができる、請求項１８に記載のシステム。
【請求項２１】
前記物質は、水である、請求項１８に記載のシステム。
【請求項２２】
前記隠された一意の識別子は、前記開封明示パッケージに除去可能に連結されている、請求項１４に記載のシステム。
【請求項２３】
一意の識別子を提供する方法であって、
開封明示パッケージを提供することと、
前記開封明示パッケージ内に前記一意の識別子を設置することと
を含み、
前記一意の識別子は、前記開封明示パッケージの外側から検出されることができない、方法。
【請求項２４】
前記開封明示パッケージは、ブリスタ包装である、請求項２３に記載の方法。
【請求項２５】
前記開封明示パッケージを密閉することをさらに含む、請求項２３に記載の方法。
【請求項２６】
前記一意の識別子を含む前記開封明示パッケージの領域は、不透明である、請求項２３に記載の方法。
【請求項２７】
前記一意の識別子は、前記開封明示パッケージ内に受け取られる基材上に印刷されている、請求項２３に記載の方法。
【請求項２８】
一意の識別子を提供する方法であって、
開封明示パッケージを提供することと、
前記一意の識別子を前記開封明示パッケージ上に設置することと、
前記一意の識別子を隠すことと
を含む、方法。
【発明の詳細な説明】
【技術分野】
【０００１】
（関連出願の引用）
本願は、米国仮特許出願第６１／３２１，５２５号、第６１／３２１，５３０号（両方とも、２０１０年４月７日出願）を基礎とする優先権を主張する。各出願の全内容は、参照により本明細書に引用される。
【背景技術】
【０００２】
偽造品は、有意な経済的および消費者安全上の問題がある。偽造薬は、最も高度な教育を受けた消費者であっても、医薬品が、正確な量の活性成分を含有しているのか、または任意の活性成分をそもそも含有しているのかを決定することは、困難であるため、特定の安全上の問題を呈する。
【０００３】
種々のアプローチが、偽造品に対抗するために使用されている。例えば、多くの場合、複雑なパッケージおよびラベルが、そのようなラベルが、偽造者志望者が模倣することが困難であるという理論に基づいて、使用されている。しかしながら、技術の進展によって、高度な印刷機器の値段が下がり、それによって、偽造パッケージの品質を向上させている。
【０００４】
故に、製品の真正性を検証するための新しい方法およびデバイスの必要性が存在する。
【発明の概要】
【課題を解決するための手段】
【０００５】
本発明の種々の側面は、製品の真正性を検証するためのシステムおよび方法を提供する。
【０００６】
本発明の一側面は、開封明示パッケージと、製品の真正性を検証するために使用可能な一意の識別子とを含むシステムを提供する。一意の識別子は、開封明示パッケージ内に含まれる。一意の識別子は、不正使用の証拠を示すことなしに開封明示パッケージの外側から検出されることができない。
【０００７】
開封明示パッケージは、ブリスタ包装であることができる。ブリスタ包装は、１つ以上の空洞を画定するブリスタ包装材料と蓋材料とを含むことができる。一意の識別子は、ブリスタ包装材料上に印刷することができる。一意の識別子は、蓋材料上に印刷することができる。
【０００８】
一意の識別子を含む開封明示パッケージの領域は、不透明であることができる。一意の材料は、開封明示パッケージ内に受け取られる基材上に印刷することができる。基材は、折り畳まれることができる。基材は、巻かれることができる。
【０００９】
システムは、さらなる一意の識別子を含むことができる。さらなる一意の識別子は、一意の識別子に数学的に関連付けられている。
【００１０】
製品は、医薬品であることができる。製品は、消費財、電子製品、アルコール飲料、電子媒体、高級品、化粧品、およびソフトウェアから成る群から選択することができる。
【００１１】
本発明の別の側面は、開封明示パッケージと、開封明示パッケージに連結されている隠された一意の識別子とを含むシステムを提供する。
【００１２】
隠された一意の識別子は、除去可能不透明コーティングによって、隠されることができる。隠された一意の識別子は、基材によって、隠されることができる。基材は、穿孔されることができる。隠された一意の識別子は、温度変化への暴露、空気への暴露、水への暴露、溶媒への暴露、光への暴露、および放射線への暴露から成る群から選択される、環境条件の変化によって、公然化されることができる。
【００１３】
本発明の別の側面は、一意の識別子を提供する方法を提供する。方法は、開封明示パッケージを提供することと、開封明示パッケージ内に一意の識別子を設置することとを含む。一意の識別子は、開封明示パッケージの外側から検出されることができない。
【００１４】
開封明示パッケージは、ブリスタ包装であることができる。方法は、開封明示パッケージを密閉することを含むことができる。一意の識別子を含む開封明示パッケージの領域は、不透明であることができる。一意の識別子は、開封明示パッケージ内に受け取られる基材上に印刷されることができる。
【００１５】
本発明の別の側面は、一意の識別子を提供する方法を提供する。方法は、開封明示パッケージを提供することと、一意の識別子を開封明示パッケージ上に設置することと、一意の識別子を隠すこととを含む。
【００１６】
本発明の別の側面は、開封明示パッケージと、開封明示パッケージ内に含まれる、製品の真正性を検証するために使用可能な一意の識別子とを含むシステムを提供する。一意の識別子は、不正使用の証拠を示すことなしに開封明示パッケージの外側から検出されることができない。
【００１７】
システムの本側面は、種々の実施形態を有することができる。開封明示パッケージは、ブリスタ包装であることができる。ブリスタ包装は、１つ以上の空洞を画定するブリスタ包装材料と蓋材料とを含むことができる。一意の識別子は、ブリスタ包装材料上に印刷されることができる。一意の識別子は、蓋材料上に印刷されることができる。
【００１８】
一意の識別子を含む開封明示パッケージの領域は、不透明であることができる。
【００１９】
一意の材料は、開封明示パッケージ内に受け取られる基材上に印刷されることができる。基材は、折り畳まれることができる。基材は、巻かれることができる。
【００２０】
システムは、さらなる一意の識別子を含むことができる。さらなる一意の識別子は、一意の識別子に数学的に関連付けられることができる。
【００２１】
製品は、医薬品であることができる。製品は、消費財、電子製品、アルコール飲料、電子媒体、高級品、化粧品、およびソフトウェアから成る群から選択されることができる。
【００２２】
本発明の別の側面は、開封明示パッケージと、開封明示パッケージに連結されている隠された一意の識別子とを含むシステムを提供する。
【００２３】
本発明の本側面は、種々の実施形態を有することができる。隠された一意の識別子は、除去可能不透明コーティングによって、隠されることができる。隠された一意の識別子は、基材によって、隠されることができる。基材は、穿孔されることができる。
【００２４】
隠された一意の識別子は、環状条件への暴露、物質への暴露、および規定波長のレンズの使用から成る群から選択される１つ以上によって改変、することができる。環境条件は、温度、光、エネルギー、応力、歪み、および磁力から成る群から選択されることができる。複数の別個の非表示の一意の識別子のうちの１つ以上は、規定時間の間の環境条件への暴露によって改変されることができる。物質は、水であることができる。
【００２５】
隠された一意の識別子は、開封明示パッケージに除去可能に連結されることができる。
【００２６】
本発明の別の側面は、一意の識別子を提供する方法を提供する。方法は、開封明示パッケージを提供することと、開封明示パッケージ内に一意の識別子を設置することとを含み、一意の識別子は、開封明示パッケージの外側から検出されることができない。
【００２７】
本発明の本側面は、種々の実施形態を有することができる。開封明示パッケージは、ブリスタ包装であることができる。方法は、開封明示パッケージを密閉することを含むことができる。一意の識別子を含む開封明示パッケージの領域は、不透明であることができる。一意の識別子は、開封明示パッケージ内に受け取られる基材上に印刷されることができる。
【００２８】
本発明の別の側面は、一意の識別子を提供する方法を提供する。方法は、開封明示パッケージを提供することと、一意の識別子を開封明示パッケージ上に設置することと、一意の識別子を隠すこととを含む。
【図面の簡単な説明】
【００２９】
本発明の性質および所望の目的のより完全なる理解のために、図と関連して検討される、以下の発明を実施するための形態を参照する。
【図１】図１および２は、本発明による、一意の識別子を含む、開封明示パッケージの断面を描写する。
【図２】図１および２は、本発明による、一意の識別子を含む、開封明示パッケージの断面を描写する。
【図３】図３は、本発明による、蓋材料上に印刷されている、一意の識別子を有する、ブリスタ包装を描写する。
【図４】図４は、本発明による、アイテムに連結することができる、一意の識別子を含む、開封明示パッケージを描写する。
【図５】図５および６Ａ−６Ｃは、本発明による、環境感応式一意の識別子を描写する。
【図６Ａ】図５および６Ａ−６Ｃは、本発明による、環境感応式一意の識別子を描写する。
【図６Ｂ】図５および６Ａ−６Ｃは、本発明による、環境感応式一意の識別子を描写する。
【図６Ｃ】図５および６Ａ−６Ｃは、本発明による、環境感応式一意の識別子を描写する。
【図７】図７および８は、本発明による、一意の識別子を提供する方法を描写する。
【図８】図７および８は、本発明による、一意の識別子を提供する方法を描写する。
【図９】図９は、本発明による、開封明示パッケージを描写する。
【図１０】図１０は、本発明による、サプライチェーンの複数の段階を通して、製品の真正性を検証する方法を描写する。
【図１１】図１１は、本発明による、例示的ワークフローを描写する。
【図１２】図１２は、本発明による、複数の一意の識別子を含む、チケットを描写する。
【図１３】図１３は、本発明による、チケットまたは他の証明書の真正性を検証する方法を描写する。
【発明を実施するための形態】
【００３０】
（定義）
本発明は、以下の定義を参照することによってより明確に理解される。
【００３１】
明細書および請求項で使用される場合、単数形「ａ」、「ａｎ」、および「ｔｈｅ」は、文脈によって、別様に明示的に示されない限り、複数参照を含む。
【００３２】
用語「可視」とは、規定波長において、知覚可能な任意の特徴を指す。そのような波長は、ヒトの眼に知覚可能な電磁スペクトルの一部であり得る（すなわち、約３９０ｎｍから約７５０ｎｍ）。そのような波長は、加えて、または代替として、機械および／またはレンズの使用を通して、可視である他の波長を含み得る。
【００３３】
用語「不透明」とは、規定波長において、材料にわたって特徴の知覚を可能としない、任意の材料を指す。そのような波長は、ヒトの眼に知覚可能な電磁スペクトルの一部であり得る（すなわち、約３９０ｎｍから約７５０ｎｍ）。そのような波長は、加えて、または代替として、機械および／またはレンズの使用を通して、可視である他の波長を含み得る。
【００３４】
用語「環境条件」とは、製品および／または一意の識別子の可視性に影響を及ぼし得る、任意の周囲条件を指す。環境条件の例として、光、温度、圧力、エネルギー等が挙げられる。本明細書で使用される場合、環境条件は、時間的持続によって修正されてもよいが、そうである必要はない。例えば、本明細書にさらに論じられるように、短時間の若干上昇した温度への暴露は、製品が劣化させるために十分でないか、または一意の識別子が公然化および／または改変、されるようにするために十分ではない場合がある。しかしながら、６時間の同一の若干上昇した温度への暴露は、製品を劣化させるために十分であるか、または一意の識別子を公然化および／または改変、させるために十分であり得る。
【００３５】
（詳細な説明）
本発明の種々の側面は、製品、例えば、腐敗しやすい、偽造されやすい、および／または誤って取り扱われやすい、製品の真正性を検証するためのシステムおよび方法を提供する。
【００３６】
例示的製品として、ワクチン、丸薬、カプセル、錠剤、口腔内崩壊錠、フィルム、経口浸透圧システム（ＯＲＯＳ）、エリキシル剤、乳剤、シロップ、懸濁液、チンキ剤、吸入剤、噴霧器、目薬、点耳薬、軟膏、クリーム、ローション、塗布薬、ゲル、ペースト、薬用シャンプー、経真皮的インプラント、経真皮的パッチ、鼻腔内医薬品、皮下（ＳＣ）医薬品、静脈内（ＩＶ）医薬品、筋肉内（ＩＭ）医薬品、骨内医薬品、腹腔内（ＩＰ）医薬品、髄腔内医薬品、陰茎内医薬品、膣坐薬、膣リング、子宮内デバイス、坐薬等の医薬品が挙げられる。
【００３７】
他の例示的製品として、消費財（例えば、衣類、荷物等）、電子製品、食品、アルコール飲料（例えば、ビール、ワイン、蒸留酒等）、電子媒体（例えば、コンパクトディスク、デジタルビデオディスク等）、高級品（例えば、宝石、腕時計、香水等）、化粧品、ソフトウェア等が挙げられる。
【００３８】
（一意の識別子を含むシステム）
次に、図１を参照すると、本発明のいくつかの実施形態は、その中に含む製品１０２の真正性を検証するためのシステム１００を提供する。システムは、開封明示パッケージ１０４と、開封明示パッケージ１０４内に含まれる、またはその一部としての一意の識別子１０６とを含む。
【００３９】
開封明示パッケージ１０４は、エンドユーザが、製品１０２および／または一意の識別子１０６が、以前に除去または改変されたかどうかを容易に識別することができるように構成される、任意のパッケージであることができる。例えば、開封明示パッケージ１０４は、一意の識別子にアクセスするために可視改変を必要とする、任意のパッケージであることができる。具体的実施例では、ユーザは、瓶を開封し、キャップ下の一意の識別子を視認すること、箱または小袋を開封し、箱または小袋内の一意の識別子を視認すること、包材を開封し、小袋内の一意の識別子を視認すること、製品の管から一意の識別子を圧搾すること、（例えば、硬成型プラスチックの）小包を開封し、一意の識別子にアクセスすること、パッケージ（例えば、ＴＥＴＲＡ  ＰＡＫ（登録商標）パッケージ）から一意の識別子を注ぐことを必要とし得る。
【００４０】
図１に描写されるように、開封明示パッケージ１０４は、１つ以上の空洞１１２を画定するブリスタ包装材料１０８と蓋材料１１０とから成るブリスタ包装（また、「押しつぶし包装」としても知られる）であることができる。ブリスタ包装およびそれを加工する方法は、Ｄ．  Ａ．  Ｄｅａｎ，  Ｂｌｉｓｔｅｒ，  Ｓｔｒｉｐ  ＆  Ｓａｃｈｅｔ  Ｐａｃｋａｇｉｎｇ  ｉｎ  Ｐｈａｒｍａｃｅｕｔｉｃａｌ  Ｐａｃｋａｇｉｎｇ  Ｔｅｃｈｎｏｌｏｇｙ  （Ｄ．  Ａ．  Ｄｅａｎ  ｅｔ  ａｌ，  ｅｄｓ．  ２０００）に説明されている。
【００４１】
ブリスタ包装は、当業者に周知の種々の既存の材料から形成することができる。例えば、ブリスタ包装材料１０８は、ポリ塩化ビニル（ＰＶＣ）、ポリクロロトリフルオロエチレン（ＰＣＴＦＥ）、環状オレフィンポリマー（ＣＯＰ）、環状オレフィンコポリマー（ＣＯＣ）、ポリプロピレン（ＰＥ）、ポリエチレン（ＰＥ）、グリコール変性テレフタル酸ポリエチレン（ＰＥＴｇ）等、ならびにそれらの組み合わせおよび／または積層等のプラスチックから加工することができる。蓋材料１１０は、箔、例えば、アルミニウム箔等の金属箔から加工することができる。蓋材料１１０は、特定のブリスタ包装材料１０８と特定の蓋材料１１０とを接合するために好適であることが当業者によって知られている１つ以上の接着剤によって、ブリスタ包装材料１０８に接合することができる。好適な材料はさらに、ＥｄｗａｒｄＪ．Ｂａｕｅｒ，ＰｈａｒｍａｃｅｕｔｉｃａｌＰａｃｋａｇｉｎｇＨａｎｄｂｏｏｋ１８９−２７２（２００９）に説明されている。
【００４２】
一意の識別子１０６は、製品を一意的に識別する１つ以上の文字の任意のシーケンスであることができる。例えば、一意の識別子１０６は、数字のシーケンス（例えば、「１２３４５６７８９０」）、文字列のシーケンス（例えば、「ＡＢＣＤＥＦＧＨＩＪ」）、非英数字文字のシーケンス等、またはそれらの組み合わせであることができる。本明細書の実施例は、アラビア数字およびラテン文字を利用するが、一意の識別子は、他の数字および文字から成ることができる。一意の識別子１０６はまた、バーコードまたはマトリクスコード（すなわち、２次元バーコード）であることができる。別個の一意の識別子が各個々の製品に割り当てられること、または、単一の一意の識別子が複数の製品に割り当てられることができる。
【００４３】
一意の識別子１０６は、自動的に、コンピュータ、プリンタ、ラベル機械等によって、生成することができる。例えば、一意の識別子１０６は、乱数発生器によって、生成することができる。一意の識別子１０６は、製造業者によって記憶され、製造日時、製造場所、製品の販売業者、一意の識別子１０６の状態等の種々のデータに関連付けることができる。
【００４４】
一意の識別子１０６は、図１に描写されるように、基材（例えば、１枚の紙、カード用紙、厚紙、プラスチック等）上に印刷することができる。好ましくは、一意の識別子１０６は、開封明示パッケージ１０４を開封することなく、視認することはできない。一意の識別子を曖昧化するために、基材は、図１に描写されるように、巻かれる、折り畳まれる（例えば、アコーディオンのように）等のようにすることができる。開封明示パッケージ１０４は、全体的または部分的に、不透明材料から成ることができる。
【００４５】
一意の識別子は、ブリスタ包装材料１０８および／または蓋材料１１０上に印刷することができる。
【００４６】
追加の媒体を、他のブリスタ空洞内に設置することができる。そのような媒体は、追加の一意の識別子および／または販促材料を含むことができる。
【００４７】
一意の識別子または他の追加の媒体を含む空洞１１２は、他の空洞（例えば、医薬品を含む空洞）と同一、類似、または異なる色、形状、および／または寸法を有することができる。例えば、空洞１１２は、実質的に、円形、楕円形、長方形等であることができる。
【００４８】
次に、図２を参照すると、本発明はまた、開封明示パッケージ２０４に連結されている隠された一意の識別子２０６を含む開封明示パッケージ２０４を含むシステム２００を提供する。隠された一意の識別子２０６は、種々の技法によって、開封明示パッケージ２０４に連結することができる。隠された一意の識別子２０６は、開封明示パッケージ２０４上に印刷、スタンプ、または書き込むことができる。隠された一意の識別子２０６は、別の媒体（例えば、紙、厚紙等）上に印刷され、化学または機械的ファスナーによって、開封明示パッケージ２０４に接合することができる（例えば、再包装の際）。
【００４９】
隠された一意の識別子２０６は、エンドユーザが、製品２０２の真正性を検証することを所望するまで、一意の識別子を隠すように構成することができる。例えば、隠された一意の識別子２０６は、一意の識別子が、除去可能不透明コーティング（例えば、ラテックス）によって被覆される、スクラッチ式材料であることができる。別の実施例では、隠された一意の識別子２０６は、１枚の紙、カード用紙、厚紙、プラスチック等の基材によって、隠すことができる。例えば、隠された一意の識別子２０６は、認証の際に引き裂かれる、穿孔された基材によって、被覆することができる。さらに別の実施例では、隠された一意の識別子は、１つ以上の層の可撤性テープ（例えば、２層テープ）によって、隠される。
【００５０】
次に、図３を参照すると、一意の識別子３０６は、開封明示パッケージ３０４の内側、例えば、ブリスタ包装のブリスタ包装材料３０８または蓋材料３１０の内側に印刷することができる。蓋材料３１０は、エンドユーザによって剥離され（例えば、タブ３１４の使用を通して）、一意の識別子３０６を公然化させることができる。空洞材料３０８は、好ましくは、一意の識別子３０６が、蓋材料３１０が除去されるまで、視認することができないように、不透明である。そのような配置は、既存のパッケージ機械にほとんど修正を加える必要がなく、したがって、低コストで生産することができるため、特に、有利であり得る。さらに、そのような実施形態は既存のブリスタ包装のいかなる修正も必要としない。ブリスタ３１２ａは、丸薬または他の製品を含むことができる。
【００５１】
（ブリスタアタッチメント）
次に、図４を参照すると、一意の識別子４０４を含む、開封明示パッケージ４０２は、アイテム４０６の認証を可能にするために、アイテム４０６に連結することができる。開封明示パッケージ４０２は、本明細書に論じられるように、ブリスタ包装であることができる。開封明示パッケージ４０２は、機械的および化学ファスナーを含む、種々の手段を通して、アイテムに連結することができる。本明細書に論じられるように、一意の識別子４０４は、開封明示パッケージ４０２内に受け取られる媒体内に印刷することができる、または直接、ブリスタ包装材料４０８および／または蓋材料４１０上に印刷することができる。
【００５２】
開封明示パッケージ４０２は、随意に、エンドユーザまたは他の個人による検証後、アイテム４０６によって、除去することができる。例えば、開封明示パッケージ４０２とアイテム４０６とは、Ｇｌｕｅ  Ｄｏｔｓ  Ｉｎｔｅｒｎａｔｉｏｎａｌ（Ｎｅｗ  Ｂｅｒｌｉｎ、Ｗｉｓｃｏｎｓｉｎ）から市販のもの等の一時的接着剤の使用を通して、着脱可能に連結することができる。
【００５３】
（単回使用の一意の識別子）
エンドユーザが、一意の識別子１０６、２０６が、視認のために、以前に公然化されたかどうか、迅速に識別可能であることが好ましい。そのような構成は、以前に公然化された一意の識別子１０６、２０６が、パッケージ１０４、２０４が、再利用され、偽造製品で充填されていることを、示唆するので、有利である。種々のアプローチは、単回使用の一意の識別子を生産するように採用することができる。
【００５４】
次に、図５を参照すると、一意の識別子５０６は、温度変化への暴露、空気への暴露、水への暴露、溶媒への暴露、光への暴露、および放射線への暴露等の環境条件５１６の変化によって、公然化させることができる。好ましくは、一意の識別子５０６の公然化は、エンドユーザが、一意の識別子５０６が、以前に視認されたことを警告され、偽造者が、古いパッケージを再利用したことを示唆するように、不可逆的である。他の構成では、一意の識別子は、一意の識別子が、一時的にのみ、視認されることができるように、一時的である。
【００５５】
図６Ａに描写されるように、一意の識別子６０６ａは、前述のように、環境条件６１６に応答して、可視となる、マーク６１８ａによって、曖昧化することができる。曖昧化マーク６１８ａは、認証の際、一意の識別子６０６ａの暴露から起こる、放射線への暴露によって、公然化させることができる。加えて、または代替として、曖昧化マーク６１８ａは、容認不可能な環境条件への暴露によって、公然化させることができる。例えば、曖昧化マーク６１８ａは、曖昧化マーク（および、それに関連付けられた製品）が、熱、冷気、湿気等に暴露された場合に公然化させることができる。そのような配置は、特に、熱等の環境条件に敏感である、ワクチン等の医薬品に、特に、有利である。
【００５６】
曖昧化マーク６１８ａは、一意の識別子６０６ａと同一または異なる色であることができ、部分的または完全に、一意の識別子６０６ａを曖昧化することができる。
【００５７】
次に、図６Ｂを参照すると、本発明の別の実施形態は、一意の識別子６０８ｂが、以前に視認され、および／または別様に損傷されているかどうかを査定するために、消費者の判断を必要としない、単回使用の一意の識別子６０８ｂを提供する。一意の識別子６０８ｂは、いくつかの文字（例えば、１１桁）から成る。文字のうちの１つ以上（図６Ｂに例証される実施例における、３桁目、６桁目、および９桁目）は、図６Ｂにおける光の陰影によって表される、環境感応式インク（例えば、温度感応式インク）で印刷される。ユーザが、一意の識別子６０８ｂ（および、それに関連付けられた製品）が、環境条件（例えば、高温または低温）に暴露される前に、一意の識別子６０８ｂを読み取る場合、環境感応式インクで印刷された文字は、可視とはならないであろう。例えば、図６Ｂにおける一意の識別子６０８ｂのユーザは、コード「７８２８０２４６」を見て、本明細書に論じられるように、検証のために、本コードを提出するであろう。しかしながら、一意の識別子６０８ｂ（および、それに関連付けられた製品）が、環境条件（例えば、高温または低温）に暴露される場合、環境感応式インクで印刷された文字は、可視となるであろう。例えば、図６Ｂにおける一意の識別子６０８ｂのユーザは、コード「７８５２８６０２８４６」を見て、本明細書に論じられるように、検証のために、本コードを提出し、それによって、異なる応答をトリガするであろう。
【００５８】
次に、図６Ｃを参照すると、本発明の別の実施形態は、７つのセグメントの表示にエンコードされた一意の識別子６０８ｃを提供する。各桁の種々のセグメントは、一意の識別子６０８ｃが、環境刺激に暴露されると、可視である一意の識別子６０８ｃが、「０１２３４５６７８９」から「８７８９９６８３８８」に変化するように、環境感応式インク（破線輪郭で描写される）で印刷されることができる。例えば、０は、８に変化することができ、１は、７に変化することができ、２は、８に変化することができ、３は、９に変化することができ、４は、９に変化することができ、５は、６に変化することができ、６は、８に変化することができ、７は、３に変化することができ、８は、８のまま維持することができ、９は、８に変化することができる。
【００５９】
環境感応式インクの種々の組み合わせを利用して、一意の識別子６０８ａまたは６０８ｂ（および、それに関連付けられた製品）の環境暴露に関するより詳細な情報を得ることができる。例えば、非表示の桁またはセグメントの各々は、種々の温度で可視となる、異なるインクで印刷することができる。したがって、どの文字が可視であるかを分析することによって、一意の識別子６０８ａが、熱または冷気に暴露されたかどうか決定するだけではなく、また、１つ以上の温度範囲を識別することができる。同様に、ある桁またはセグメントは、光感応式インクで印刷することができる一方、他の桁またはセグメントは、温度感応式インクで印刷することができる。
【００６０】
本明細書に論じられる環境感応式インクは、指定された持続時間（例えば、５分、１５分、３０分、１時間、３時間、６時間、１２時間、１日等）の間、環状条件への暴露（例えば、温度および／または光）に応答して、可視となるように調整することができる。環境感応式インクの発現は、時間および温度の両方に応じて、変動することができる。例えば、６０分間の５０°Ｃの周囲温度への環境感応式インクの暴露は、３０分間の７５°Ｃの周囲温度への環境感応式インクの暴露と同一効果をもたらすことができる。
【００６１】
加えて、または代替として、環境条件に暴露されると消失する（発現とは対照的に）環境感応式インクを利用して、可変の一意の識別子を生産することができる。そのような実施形態では、環境感応式インクは、環状条件への暴露に応じて、消失し、それによって、一意の識別子を産生するであろう。例えば、温度への暴露に応じて消失する、インクは、Ｃｈｒｏｍａｔｉｃ  Ｔｅｃｈｎｏｌｏｇｉｅｓ（Ｃｏｌｏｒａｄｏ  Ｓｐｒｉｎｇｓ、Ｃｏｌｏｒａｄｏ）から市販されている。
【００６２】
さらに別の実施形態では、環境感応式インクは、応力、歪み、および／または磁力等の力によって、活性化することができる。例えば、一意の識別子のセグメントは応力、歪み、および／または磁力への暴露に応じて、光学特性に変化を受ける液晶を含むことができる。
【００６３】
着目すべきは、ユーザが、一意の識別子６０８ｂ、６０８ｃが、環境条件に暴露されたかどうかに関わらず、同一認証プロセスを利用することである。したがって、ユーザは、一意の識別子６０８ｂ、６０８ｃを解釈する必要がない。代わりに、認証サービスは、一意の識別子６０８ｂ、６０８ｃが損傷された場合、さらなる指示を提供することができる。
【００６４】
（複数の一意の識別子）
複数の一意の識別子を本明細書の本発明と共に使用することができる。複数の識別子は、開封明示パッケージ内の同一または別個の場所に発現することができる。複数の一意の識別子は、相互に関連または非関連であることができる。例えば、パッケージは、１つの可視である一意の識別子および１つの非表示の一意の識別子を有することができる。
【００６５】
（一意の識別子を提供する方法）
次に、図７を参照すると、一意の識別子を提供する方法７００が、提供される。
【００６６】
ステップＳ７０２では、パッケージが、提供される。パッケージは、本明細書に提供されるように、開封明示パッケージであることができる。
【００６７】
ステップＳ７０４では、一意の識別子が、パッケージ内に設置される。一意の識別子は、手あるいは従来自動機械または特殊自動機械によって、パッケージ内に設置することができる。
【００６８】
ステップＳ７０６では、１つ以上の製品が、随意に、パッケージ内に設置することができる。１つ以上の製品は、手あるいは従来機械または特殊機械によって、パッケージ内に設置することができる。
【００６９】
ステップＳ７０８では、パッケージは、随意に、密閉される。パッケージは、手あるいは従来機械または特殊機械によって、密閉することができる。パッケージの密閉は、パッケージを開封明示状態にすることができる。
【００７０】
次に、図８を参照すると、一意の識別子を提供する別の方法８００が、提供される。
【００７１】
ステップＳ８０２では、パッケージが、提供される。パッケージは、本明細書に提供されるように、開封明示パッケージであることができる
ステップＳ８０４では、一意の識別子が、パッケージ上に設置される。一意の識別子は、手あるいは従来自動機械または特殊自動機械によって、パッケージ上に設置することができる。
【００７２】
ステップＳ８０６では、一意の識別子は、隠される。一意の識別子は、手あるいは従来自動機械または特殊自動機械によって、隠すことができる。例えば、除去可能不透明コーティングを一意の識別子上に塗布することができる。別の実施例では、１枚の紙、カード用紙、厚紙、プラスチック等の基材が、本明細書に論じられるように、一意の識別子上に設置される。
【００７３】
ステップＳ８０８では、１つ以上の製品が、随意に、パッケージ内に設置される。１つ以上の製品は、手あるいは従来機械または特殊機械によって、パッケージ内に設置することができる。
【００７４】
ステップＳ８１０では、パッケージは、随意に、密閉される。パッケージは、手あるいは従来機械または特殊機械によって、密閉することができる。
【００７５】
（サプライチェーンを通しての製品の追跡）
次に、図９Ａ−９Ｄを参照すると、本発明は、選択的に、公然化させることができる、複数の別個の非表示の一意の識別子９０６を含む、開封明示パッケージ９００を提供する。
【００７６】
非表示の一意の識別子９０６は、本明細書の教示のいずれかによる、非表示の一意の識別子９０６であることができる。例えば、非表示の一意の識別子９０６は、除去可能不透明コーティングまたは穿孔された基材によって、被覆することができる。
【００７７】
図９Ａでは、一意の識別子９０６のいずれも、公然化されていない。これは、例えば、パッケージ９００が工場から出荷された時のパッケージ９００の第１の状態であることができる。
【００７８】
図９Ｂでは、パッケージ９００は、サプライチェーンの別のレベルに輸送される。例えば、パッケージ９００は、製造業者から卸売販売業者に販売されることができる。パッケージ９００内に含まれる、製品の真正性を検証することを所望する者は誰でも、本明細書に論じられるように、第１の一意の識別子９０６ａを公然化させ、一意の識別子９０６ａを検証することができる。
【００７９】
図９Ｃでは、パッケージ９００は、サプライチェーンの別のレベルに輸送される。例えば、パッケージ９００は、卸売販売業者から小売業者に販売されることができる。パッケージ９００内に含まれる、製品の真正性を検証することを所望する者は誰でも、本明細書に論じられるように、第２の一意の識別子９０６ｂを公然化させ、一意の識別子９０６ｂを検証することができる。
【００８０】
図９Ｄでは、パッケージ９００は、サプライチェーンの別のレベルに輸送される。例えば、パッケージ９００は、小売業者から消費者に販売されることができる。パッケージ９００内に含まれる、製品の真正性を検証することを所望する者は誰でも、本明細書に論じられるように、第３の一意の識別子９０６ｃを公然化させ、一意の識別子９０６ｃを検証することができる。
【００８１】
パッケージ９００は、サプライチェーンの各段階に対応する、別個の非表示の一意の識別子９０６を含むように構成することができる。例えば、パッケージ９００は、パッケージ９００が、あるサプライチェーン関係者から別のサプライチェーン関係者に輸送される度に、一意の識別子９０６を検証することができるように、十分な数の別個の非表示の一意の識別子９０６を含むことができる。パッケージ９００はまた他の時点（例えば、税関通過時）に検証を可能にするように、十分な一意の識別子９０６を含むように構成することができる。さらに別の実施例では、一意の識別子９０６は、サプライチェーンのあらゆる段階で検証されるのではなく、段階の一部で検証される。
【００８２】
別個の非表示の一意の識別子９０６は、同一または異なる様式において、非表示にすることができる。別個の非表示の一意の識別子は、ヒトの眼で検出することができる、または光学または機械的システムを利用して検出することができる。例えば、バーコードリーダを利用して、バーコードまたはマトリクスコードである一意の識別子９０６を読み取ることができる。
【００８３】
別の実施例では、別個の非表示の一意の識別子９０６は、別個の波長で読取可能である。そのような実施例では、複数のレンズを使用して、別個の非表示の一意の識別子９０６を読み取ることができる。別個の非表示の一意の識別子９０６は、１つ以上の以前の非表示の一意の識別子９０６の有効化が、後続の一意の識別子９０６を有効化するために、必要とされるように、関連することができる。例えば、後続の一意の識別子９０６の波長は、以前の一意の識別子９０６の有効化に応じて、公然化させることができる。
【００８４】
さらに別の実施例では、別個の非表示の一意の識別子９０６は、複数の波長（例えば、太陽光内に存在するか、あるいは蛍光または白色光によって産生される波長の範囲）への暴露によって、公然化させることができる。
【００８５】
次に、図１０を参照すると、サプライチェーンの複数の段階を通して、製品の真正性を検証する方法１０００が、提供される。
【００８６】
ステップＳ１００２では、複数の別個の非表示の一意の識別子を有する製品が、本明細書に説明されるように、提供される。製品は、本明細書に論じられるように、開封明示パッケージ内に受け取られることができる。
【００８７】
ステップＳ１００４では、非表示の一意の識別子が、随意に、公然化される。非表示の一意の識別子９０６は、方法の一部として、公然化させることができるか、または別の実体が、方法を実践する実体の指示の有無にかかわらず、非表示の一意の識別子９０６を公然化させることができる。非表示の一意の識別子９０６は、ヒトまたは機械によって、公然化させることができる。例えば、ブリスタ包装を開封するための種々のデバイスは、米国特許第５，４３１，２８３号、第５，８５３，１０１号、第７，０５１，８９８号、および第７，２８４，６６１号、ならびに米国特許出願公開第２００８／００８３３０９号および第２００９／０１９９３４６号に説明されている。
【００８８】
ステップＳ１００６では、公然化された一意の識別子は、随意に、サプライチェーン関係者から受信される。公然化された一意の識別子は、音声、電話、ジェスチャ、ヒト−機械の相互作用、キー押下、ファックス、電子メール、インターネット通信、Ｓｈｏｒｔ  Ｍｅｓｓａｇｅ  Ｓｅｒｖｉｃｅ  （ＳＭＳ），  Ｕｎｓｔｒｕｃｔｕｒｅｄ  Ｓｕｐｐｌｅｍｅｎｔａｒｙ  Ｓｅｒｖｉｃｅ  Ｄａｔａ  （ＵＳＳＤ），  Ｐｒｏｃｅｓｓ  Ｓｕｐｐｌｅｍｅｎｔａｒｙ  Ｓｅｒｖｉｃｅ  Ｒｅｑｕｅｓｔ  （ＰＳＳＲ），  Ｕｎｓｔｒｕｃｔｕｒｅｄ  Ｓｕｐｐｌｅｍｅｎｔａｒｙ  Ｓｅｒｖｉｃｅ  Ｒｅｑｕｅｓｔ  （ＵＳＳＲ），  Ｕｎｓｔｒｕｃｔｕｒｅｄ  Ｓｕｐｐｌｅｍｅｎｔａｒｙ  Ｓｅｒｖｉｃｅ  Ｎｏｔｉｆｙ  （ＵＳＳＮ），  ＳＩＭ  Ａｐｐｌｉｃａｔｉｏｎ  Ｔｏｏｌｋｉｔ  （ＳＴＫ）等、ならびに他の一般的電話およびインターネット規格等の通信手段を介して、受信することができる。
【００８９】
ステップＳ１００８では、公然化された一意の識別子は、１つ以上の既知の一意の識別子と比較される。１つ以上の既知の一意の識別子は、データベース、コンピュータ可読媒体等の安全な場所に記憶することができる。既知の一意の識別子は、「有効」、「無効」、「使用済み」、「盗難された」、「損傷されている」、「流用されている」等のステータスとともに関連付けることができる。
【００９０】
ステップＳ１０１０では、公然化された一意の識別子に関する通信は、例えば、検証要求を提出したサプライチェーン関係者に伝送される。通信は、「真正」または「非真正」と単純であることができる、あるいはより複雑であり得、製品が非真正である理由に関するさらなる情報、非真正製品を報告する方法に関する指示、真正製品を得るための指示等を含むことができる。非真正の一意の識別子はまた、調査のために、１つ以上の適切な個人または実体に照会することができる。
【００９１】
（例示的ワークフロー）
次に、図１１を参照すると、本明細書に説明される本発明がさらに、以下の例示的ワークフロー１１００に照らして説明される。
【００９２】
ステップＳ１１０２では、１つ以上の一意の識別子が、提供される。１つ以上の一意の識別子は、一意の識別子のリスト（例えば、データベース上に記憶される）から提供することができる、またはリアルタイムで生成することができる（例えば、乱数発生器または他のアルゴリズムを使用して）。
【００９３】
ステップＳ１１０４では、１つ以上の一意の識別子が、製品に適用される。一意の識別子は、本明細書に説明される技法に従って、適用することができる。例えば、一意の識別子は、開封明示パッケージ内に設置されるか、または、それに適用することができ、随意に、隠すことができる。
【００９４】
ステップＳ１１０６では、一意の識別子は、記録することができる（例えば、以前に記録されていない場合）。例えば、一意の識別子は、製品の製造に関するデータに関連付けることができる（例えば、製造日、バッチ情報等）。一意の識別子はまた、製品に適用される他の一意の識別子に関連付けることができる。
【００９５】
ステップＳ１１０８では、製品は、１つ以上のサプライチェーン関係者に輸送される。
【００９６】
ステップＳ１１１０では、後続のサプライチェーン関係者は、随意に、一意の識別子の真正性を検証し、それによって、製品の真正性を検証することができる。
【００９７】
ステップＳ１１１２では、一意の識別子を、本明細書に論じられるように、公然化させることができる。
【００９８】
ステップＳ１１１４では、公然化された一意の識別子は、一意の識別子の中央保管庫に伝送される。中央保管庫は、製品の製造業者または販売業者であるか、または第三者であることができる。本明細書に論じられるように、一意の識別子は、電子的伝送および手動伝送を含む種々の媒体を介して、伝送することができる。例えば、サプライチェーン関係者は、携帯端末を使用して、公然化された一意の識別子を含むＳＭＳテキストメッセージを規定宛先に伝送することができる。代替として、サプライチェーン関係者は、ヒトまたは自動プロンプトに応答して、電話を通して、公然化された一意の識別子を伝送することができる。別の実施例では、サプライチェーン関係者は、ウェブ形態または他のネットワーク化されたアプリケーションを利用して、公然化された一意の識別子を伝送する。さらに別の実施例では、サプライチェーン関係者は、即時または後の輸送のために、走査デバイスを使用して、公然化された一意の識別子を読み取ることができる。
【００９９】
ステップＳ１１１６では、公然化された一意の識別子は、記憶された一意の識別子と比較される。例えば、公然化された一意の識別子を含むクエリを、複数の一意の識別子を含むデータベースに対して実行することができる。次いで、公然化された一意の識別子に関する情報は、検査することができる（例えば、コンピュータによって）。例えば、公然化された一意の識別子は、一意の識別子が、製品に割り当てられたとして記録されていない場合、または、以前に有効化された場合、非真正と見なすことができる。他の情報もまた、提供されることができる。例えば、現在の日付と、随意に、公然化された一意の識別子とともに記憶された製造日との間の差異が、規定間隔を超える場合、製品は、期限切れであると見なすことができる。
【０１００】
ステップＳ１１１８では、公然化された一意の識別子に関する情報は、記録することができる。本情報は、有効化されている公然化された一意の識別子、有効化の日等を含むことができる。より詳細な情報もまた、記憶されたデータのより高度な分析を可能にするように、記憶することができる。例えば、検証要求の起源（例えば、電話番号、電話の場所等）を記録することができる。本情報の記録は、変則パターンの識別を可能にする。例えば、Ｚａｉｒｅからの第１の一意の識別子の公然化および伝送後のＫａｚａｋｈｓｔａｎにおける第２の一意の識別子の公然化および伝送は、疑わしいとフラグを付けることができる。さらに、場所の追跡によって、製造業者は、特に、発展途上国および灰色市場におけるその製品の流通パターンに関してより多く把握することができる。
【０１０１】
公然化された一意の識別子に関する情報はまた、一意の識別子が、有効化のために提出された時に関する日時情報を含むことができる。そのような情報は、製造業者、販売業者等にとって、製造から最終消費者による使用までの間の時間および／またはサプライチェーンの種々の段階の時間の正確な測定を提供するため、貴重である。有利には、本発明は、クレジットまたはデビットカードを利用したもの等の電子取引に関連付けられる、データ収集および検索機会を提供しない現金主義の経済における本情報の収集を可能にする。
【０１０２】
ステップＳ１１２０では、公然化された一意の識別子（ひいては、製品）の真正性に関するメッセージが、公然化された一意の識別子を元々伝送した個人に返信される。応答メッセージは、元のメッセージと同一または異なる様式で伝送することができる。
【０１０３】
（製品および／または製品パッケージ内への一意の識別子の組み込み）
本願を通して論じられるように、一意の識別子は、直接、個々の製品、製品群、および／または製品パッケージ内に組み込むことができる。種々のアプローチは、製品の性質、パッケージの性質、および製品のための流通チェーンの性質に応じて、ある状況において有利に働き得る。
【０１０４】
例えば、製品パッケージ内への一意の識別子の組み込みは、個々の丸薬上に一意の識別子を印刷するための限定空間と、液体およびエアロゾル形態の医薬品上に一意の識別子を印刷することができないので、医薬品に有利に働き得る。
【０１０５】
別の実施例では、ワインのラベル上への一意の識別子の直接印刷および／またはワインの瓶上への一意の識別子の直接エッチングまたはスタンプは、ワインの瓶が、多くの場合、どんな追加のパッケージもなしに販売されるため、好ましくあり得る。
【０１０６】
さらに別の実施例では、芸術作品への一意の識別子の直接組み込み（例えば、芸術家によって、かつ好ましくは、目立たない位置に）は、そのような芸術作品のためのどんなパッケージ（例えば、彫像用の枠箱）も、典型的には、所有者によって保持されないので、好ましくあり得る。
【０１０７】
（チケットおよび他の証明書の検証）
次に、図１２を参照すると、１つ以上の一意の識別子１２０６を、チケット１２００（例えば、コンサートまたはサポーティングイベントに対するチケット）あるいは他の証明書に適用することができる。そのような一意の識別子１２０６は、二次市場でのチケット１２００の真正性の検証を可能にする（例えば、チケット仲買人、ダフ屋等から購入する場合）。
【０１０８】
複数の一意の識別子１２０６ａ−１２０６ｄを、チケット１２００に適用することができ、本明細書に論じられる技法および材料を使用して、選択的に公然化させることができる、または常時、視認可能であることができる。一意の識別子１２０６は、選択的に、除去することができる（例えば、穿孔１２０８の使用を通して）。そのような実施形態では、各一意の識別子１２０６は、検証後、チケットから除去することができる。一意の識別子１２０６は、特定の順序で印刷することができ、随意に、ユーザが、どの一意の識別子１２０６を最初に利用すべきかを把握するように、序数でラベル化することができる。例えば、一意の識別子１２０６ａは、チケット１２００から除去される前に、第１の取引において、検証のために利用することができる。次いで、一意の識別子１２０６ｂは、第２の取引において、検証のために利用することができるなど。
【０１０９】
チケット１２００は、チケット１２００を処理するための他の情報を含むことができる（例えば、チケット１２００の保有者が、イベントの開催地に入場する場合）。例えば、チケット１２００は、バーコード１２０８を含むことができる。
【０１１０】
（チケットおよび他の証明書の真正性の検証方法）
次に、図１３を参照すると、チケットまたは他の証明書の真正性を検証する方法１３００が、提供される。前述のように、用語「チケット」は、便宜上、本説明で使用されるであろう。
【０１１１】
ステップＳ１３０２では、複数の一意の識別子を保有するチケットが、提供される。例えば、チケットは、本明細書に説明されるようなチケット１２００であり得る。
【０１１２】
ステップＳ１３０４では、チケットは、輸送される。例えば、チケットは、チケット発行者（例えば、コンサートまたはスポーツ開催地あるいはＬｉｖｅ  Ｎａｔｉｏｎ（  Ｂｅｖｅｒｌｙ  Ｈｉｌｌｓ、Ｃａｌｉｆｏｒｎｉａ）等の主催者）から直接消費者またはチケット仲買人に、チケット仲買人から消費者に、消費者からチケット仲買人に、消費者から消費者に等、販売されることができる。
【０１１３】
ステップＳ１３０６では、一意の識別子のうちの１つの真正性が、検証される。多くの実施形態では、本検証は、輸送と関連して行われるが、取引と別個に生じることもできる。
【０１１４】
一意の識別子の真正性は、本明細書に説明されるように、１つ以上のステップを通して、検証することができる。例えば、一意の識別子は、非表示の場合、公然化させることができる（Ｓ１３０８）。
【０１１５】
一意の識別子は、検証のために、ステップＳ１３１０において、一意の識別子の中央保管所に伝送することができる。一意の識別子の中央保管所は、チケット発行者であることができ、またはチケット発行者に雇用される第三者であることができる。
【０１１６】
ステップＳ１３１２では、受信した一意の識別子を、記憶された一意の識別子と比較することができる。
【０１１７】
ステップＳ１３１４では、受信した一意の識別子に関する情報は、一意の識別子の中央保管所内に記録することができる。
【０１１８】
ステップＳ１３１６では、受信した一意の識別子の真正性に関するメッセージは、その真正性を検証しようとする個人に伝送することができる。
【０１１９】
ステップＳ１３１８では、一意の識別子は、随意に、「使用済み」とマークすることができる。これは、検証された一意の識別子を含むチケットの部分の物理的除去（例えば、チケット１２００上の穿孔１２０８を利用することによって）、インクまたは他のマーキング手段によって検証された一意の識別子をマーキングすることによって、および／またはデータベース内に「使用済み」としての一意の識別子の指定によって等、種々の方法で達成することができる。いくつかの実施形態では、単一の一意の識別子を、データベース内に「使用済み」とマークされる前に、数回、有効化されることができ、それによって、一意の識別子のすべてを消耗する前に、チケットの複数の輸送を可能にする。
【０１２０】
いくつかの取引後、一意の識別子はすべて、検証されていることがある。さらなる取引が所望される場合、チケットは、随意に、ステップＳ１３２０において、新しいチケットと引き換えることができる。例えば、チケットは、随意に、新しいチケットに対して料金を徴収することができるチケット発行者に提示することができる。
【０１２１】
ステップＳ１３２２では、新しいチケットが輸送され、前述のステップを今後の取引のために反復することができる。
【０１２２】
（均等物）
いくつかの要素の機能は、代替実施形態では、より少ない要素または単一要素によって、行われてもよい。同様に、いくつかの実施形態では、任意の機能要素は、例証される実施形態に関して説明されたものより少ない、またはそれと異なる動作を行ってもよい。また、例証の目的のために、別個として示される機能要素（例えば、モジュール、データベース、コンピュータ、クライアント、サーバ等）は、他の機能要素内に組み込まれる、異なるハードウェア内に分離される、または特定の実装に分散されてもよい。
【０１２３】
本発明による、ある実施形態が説明されたが、本発明は、説明される実施形態にのみ限定されない。種々の変化および／または修正が、発明の精神または範囲から逸脱することなく、説明される実施形態のいずれにも行うことができる。また、説明される実施形態の要素、ステップ、特徴、および／または側面の種々の組み合わせが可能であって、そのような組み合わせが、本明細書に明示的に識別されない場合でも、想定される。
【０１２４】
（参照による引用）
すべての特許、公開特許出願、および本明細書に引用される他の参照の全体的内容は、参照することによって、その全体として、本明細書に明示的に組み込まれる。
【図１】
2013528536.tif 000003
【図２】
2013528536.tif 000004
【図３】
2013528536.tif 000005
【図４】
2013528536.tif 000006
【図５】
2013528536.tif 000007
【図６Ａ】
2013528536.tif 000008
【図６Ｂ】
2013528536.tif 000009
【図６Ｃ】
2013528536.tif 000010
【図７】
2013528536.tif 000011
【図８】
2013528536.tif 000012
【図９】
2013528536.tif 000013
【図１０】
2013528536.tif 000014
【図１１】
2013528536.tif 000015
【図１２】
2013528536.tif 000016
【図１３】
2013528536.tif 000017
【国際調査報告】
2013528536.tif 000018
2013528536.tif 000019